(57)【要約】【課題】液晶表示装置において、表示部の外枠近傍における影の発生防止する技術を提供する。【解決手段】液晶テレビ１０は、ＢＬシャーシ５０の前面に配置される表示モジュール２０と、その前面に配置される光学シート３０とを備える。表示モジュール２０と光学シート３０の間には、表示モジュール２０の外枠近傍領域を押さえるようにＰシャーシ６０が配置されている。このＰシャーシ６０は、従来では黒等の樹脂で形成されていたが、本実施形態では、透明樹脂等の透明部材で形成される。【選択図】図１
2014021295.tif 000002
【特許請求の範囲】
【請求項１】
表示パネルとその前面に配置される光学シートとの間に一定の空間を形成するための保持用シャーシを備えた液晶表示装置であって、
前記保持用シャーシは、透光性部材で形成されていることを特徴とする液晶表示装置。
【請求項２】
前記保持用シャーシは、遮光が必要とされるエリアに遮光部が形成されていることを特徴とする請求項１に記載の液晶表示装置。
【請求項３】
前記遮光部は、前記表示パネルの外周近傍に形成されるブラックマトリックスより４５度以上外側に形成されることを特徴とする請求項２に記載の液晶表示装置。
【請求項４】
前記保持用シャーシは透明部材の緩衝材を介装して固定されていることを特徴とする請求項１から３までのいずれかに記載の液晶表示装置。
【請求項５】
導光板と光学シートとの間に一定の空間を形成するための保持用シャーシを備えた液晶表示装置であって、
前記保持用シャーシは、透光性部材で形成されていることを特徴とする液晶表示装置。
【発明の詳細な説明】
【技術分野】
【０００１】
本発明は、液晶表示装置に係り、特に、内部構成において一定の空間を形成するための保持用シャーシを備えた液晶表示装置に関する。
【背景技術】
【０００２】
一般的に、液晶テレビ等の薄型表示装置における薄型軽量化のひとつとして、狭額縁化があり、映像表示部分以外の縁取り部分を細くする工夫が進められている。
【０００３】
額部分を極端に狭くしようとした場合、液晶モジュールのベゼル幅もそれに応じて狭くする必要がある。その際、ベゼル内のパネルを保持する保持用シャーシ（以下、「Ｐシャーシ」ともいう）の対策が必要となる。
【０００４】
このＰシャーシは、一般には、液晶モジュールに直接力が作用して、白浮きや干渉が発生して表示品位が低下することを防ぐために設けられる。
【０００５】
このような技術については各種提案されている。例えば、薄型の光学シートを用いたり、大型の光学シートを用いたりする場合であっても、光学シートと発光管との距離を一定に保つことができ、照明光にムラが生じることがなく均一な照明を行える面光源装置を実現する技術がある（例えば、特許文献１参照）。具体的には、この技術は、液晶表示装置のバックライトとして使用される面光源装置において、開口部によって略円筒形状の発光管を跨ぐように配置され、光学シート側の接触部の形状が球面形状である透明支持部材によって光学シートを支持する。これにより、透明支持部材の影に起因する輝度ムラが生じなくなる。
【０００６】
ここで図７を参照して従来技術に係る液晶テレビ９１０について簡単に説明する。図示のように、液晶テレビ９１０ではＢＬシャーシ９５０に表示パネル９２０が収容されるように配置され、さらに表示パネル９２０の前面（図示で下側）に光学シート９３０が配置され、その外側領域をフロントベゼル９４０が覆っている。また、上述のように、表示パネル９２０と光学シート９３０の間には、一定の空間が形成されるように、樹脂製のＰシャーシ９６０が配置されている。
【先行技術文献】
【特許文献】
【０００７】
【特許文献１】特開２００９−１９３９７２号公報
【発明の概要】
【発明が解決しようとする課題】
【０００８】
ところで、図７の液晶テレビ９１０では、Ｐシャーシ９６０は、位置的には表示パネル９２０と光学シート９３０の間に配置されるので、バックライト（表示パネル９２０）の光がＰシャーシで遮られてしまい、影になって視認されてしまうという課題があった。
【０００９】
特許文献１に開示の技術では、光学シートを支持する部材に関する技術であって、外枠近傍における影の発生防止の観点から必ずしも直接適用できず、別の技術が求められていた。
【００１０】
本発明は以上のような状況に鑑みなされたものであって、上記課題を解決する技術を提供することを目的とする。
【課題を解決するための手段】
【００１１】
本発明は、表示パネルとその前面に配置される光学シートとの間に一定の空間を形成するための保持用シャーシを備えた液晶表示装置であって、前記保持用シャーシは、透光性部材で形成されている。
また、前記保持用シャーシは、遮光が必要とされるエリアに遮光部が形成されてもよい。
また、前記遮光部は、前記表示パネルの外周近傍に形成されるブラックマトリックスより４５度以上外側に形成されてもよい。
また、前記保持用シャーシは透明部材の緩衝材を介装して固定されてもよい。
本発明は、導光板と光学シートとの間に一定の空間を形成するための保持用シャーシを備えた液晶表示装置であって、前記保持用シャーシは、透光性部材で形成されている。
【発明の効果】
【００１２】
本発明によれば、液晶表示装置において、表示部の外枠近傍における影の発生防止する技術を提供することができる。
【図面の簡単な説明】
【００１３】
【図１】第１の実施形態に係る、液晶テレビの断面構造を模式的に示す図である。
【図２】第２の実施形態に係る、液晶テレビの断面構造を模式的に示す図である。
【図３】第３の実施形態に係る、液晶テレビの断面構造を模式的に示す図である。
【図４】第４の実施形態に係る、液晶テレビの断面構造を模式的に示す図である。
【図５】第５の実施形態に係る、液晶テレビの断面構造を模式的に示す図である。
【図６】第６の実施形態に係る、液晶テレビの断面構造を模式的に示す図である。
【図７】従来技術に係る、液晶テレビの断面構造を模式的に示す図である。
【発明を実施するための形態】
【００１４】
次に、本発明を実施するための形態（以下、単に「実施形態」という）を、図面を参照して具体的に説明する。なお、以下の実施形態では液晶表示装置の一例として液晶テレビについて説明する。
【００１５】
＜第１の実施形態＞
図１は本実施形態に係る液晶テレビ１０の概略断面構造を主にＰシャーシ６０に着目して模式的に示している。
【００１６】
液晶テレビ１０は、ＢＬシャーシ５０の前面に配置される表示モジュール（表示パネル）２０と、その前面に配置される光学シート３０とを備える。表示モジュール２０と光学シート３０の間には、表示モジュール２０の外枠近傍領域を押さえるようにＰシャーシ６０が配置されている。なお、本実施形態では、Ｐシャーシ６０は、ＢＬシャーシ５０の内部にほぼ全体が収容されている。つまり、Ｐシャーシ６０の後方側（図示上側）及び側面外側（図示右側）が、ＢＬシャーシ５０によって覆われている。
【００１７】
このＰシャーシ６０は、従来では黒等の樹脂で形成されていたが、本実施形態では、透明樹脂等の透明部材で形成される。Ｐシャーシ６０の光の透過率は高い方が好ましく理想的には１００％である。
【００１８】
そして、Ｐシャーシ６０が表示モジュール２０と光学シート３０の間に配置された状態において、光学シート３０の前面側の外側近傍領域を覆うようにフロントベゼル４０が配置される。このとき、フロントベゼル４０は、Ｐシャーシ６０の前方のみでなく、ＢＬシャーシ５０の側面外側部分を重ねて覆うように形成されている。
【００１９】
本実施形態によると、フロントベゼル４０における前面部分を狭額化した場合に、Ｐシャーシ６０の影響によって影が発生してユーザに視認されてしまうことを防止することができる。つまり、パネル押えの機能を維持したまま、フロントベゼル４０の一層の狭額化と表示品位の確保の両立が可能となる。
【００２０】
また、Ｐシャーシ６０が、ＢＬシャーシ５０及び表示モジュール２０とを備えて構成される表示モジュールの内部に収容されることから、透明にされたＰシャーシ６０から光が液晶テレビ１０の外部に不適切に漏れてしまうことを防止できる。
【００２１】
＜第２の実施形態＞
図２は本実施形態に係る液晶テレビ１１０の概略断面構造を主にＰシャーシ１６０に着目して模式的に示している。
【００２２】
第１の実施形態と異なる点は、Ｐシャーシ１６０の後方部分が露出している点にある。つまり、Ｐシャーシ１６０は、表示モジュール１２０と光学シート１３０の間に配置されるとともに、ＢＬシャーシ１５０の前方端部を覆うように形成されている。そして、フロントベゼル１４０が、Ｐシャーシ１６０の前方及び側方部分を覆って配置される。
【００２３】
このとき、何らＰシャーシ１６０に対策を施さないと、Ｐシャーシ１６０から外部に不適切に光が漏れてしまう。バックキャビネット（図示せず）で覆われるものの各種の開口が設けられその開口から光が漏れ、最終的に液晶テレビ１１０の背面から光がもれ製品の品位を低下させるおそれがある。そこで、本実施形態では、Ｐシャーシ１６０をＰシャーシ透明部１６１とＰシャーシ遮光部１６２との２つの構成に区別している。
【００２４】
より具体的には、Ｐシャーシ遮光部１６２はＢＬシャーシ１５０より外側に配置される部分において、光が内部から外に放出されないように形成されている。ここでは、Ｐシャーシ透明部１６１とＰシャーシ遮光部１６２とは一体に第１の実施形態と同様に透明部材で形成され、さらに、Ｐシャーシ遮光部１６２として、表面に例えば黒塗装が施されている。なお、Ｐシャーシ遮光部１６２を非透明の樹脂としＰシャーシ透明部１６１を透明の樹脂とするような２色構成で樹脂成形がなされてもよい。また、所定のシール部材を貼付することで遮光を実現してもよい。
【００２５】
本実施形態によると、第１の実施形態と同様の効果が得られると共に、Ｐシャーシ１６０がＢＬシャーシ１５０の外部に配置される場合でも、光漏れを適切に防止できる。
【００２６】
＜第３の実施形態＞
図３は本実施形態に係る液晶テレビ２１０の概略断面構造を主にＰシャーシ２６０に着目して模式的に示している。
【００２７】
液晶テレビ２１０では、第１の実施形態と同様に、光学シート２３０と表示モジュール２２０の間に配置されるＰシャーシ２６０が、ＢＬシャーシ２５０の内部に収容されるように配置されている。
【００２８】
ここでは、光学シート２３０が内部側の第１の光学シート２３１と前面側の第２の光学シート２３２の二つのシートから構成されている。さらに、フロントベゼル２４０で押さえられる領域に対応する第１の光学シート２３１の領域、つまり外側近傍領域において、所定幅で遮光領域であるＢＭ（ブラックマトリックス）部２７５が形成されている。なお、ＢＭ部２７５の一部は、第１の光学シート２３１と第２の光学シート２３２に挟まれる位置に形成されている。また、第１の光学シート２３１の上面外側近傍領域にはフロントベゼル２４０との間にクッション材２７０が設けられている。クッション材２７０として例えばボロンが用いられる。
【００２９】
さらに、Ｐシャーシ２６０の前面側（図示上側）には、ちょうどＢＭ部２７５が形成される外側境界の直下の領域からＢＬシャーシ２５０の内壁面に当たる位置まで、遮光エリア２６５が形成されている。遮光エリア２６５は、シート部材の貼付等によって実現される。
【００３０】
本実施形態によると第１の実施形態と同様に、フロントベゼル２４０を狭額化した場合に、Ｐシャーシ２６０の影響によって影が発生してユーザに視認されてしまうことを防止することができる。
【００３１】
＜第４の実施形態＞
図４は本実施形態に係る液晶テレビ３１０の概略断面構造を主にＰシャーシ３６０に着目して模式的に示している。
【００３２】
液晶テレビ３１０は、第３の実施形態と同様に、光学シート３３０が第１の光学シート３３１と第２の光学シート３３２とから構成されている。また、同様に第１の光学シート３３１の上面にはＢＭ部３７５が形成されている。さらに、その前面側（図示上側）には、フロントベゼル３４０と第２の光学シート３３２の間に介装されたクッション材３７０が配置されている。
【００３３】
Ｐシャーシ３６０は、ＢＬシャーシ３５０の内部に収容されており、Ｐシャーシ透明部３６１とＰシャーシ遮光部３６２との２色樹脂成形で構成されており、ＢＭ部３７５より外側に対応する領域が遮光機能を有するＰシャーシ遮光部３６２となっていおり、ＢＭ部３７５より内側に対応する領域がＰシャーシ透明部３６１となっている。
【００３４】
本実施形態によると、上述の実施形態と同様に、フロントベゼル３４０を狭額化した場合に、Ｐシャーシ３６０の影響によって影が発生してユーザに視認されてしまうことを防止することができる。
【００３５】
＜第５の実施形態＞
図５は本実施形態に係る液晶テレビ３１０ａの概略断面構造を主にＰシャーシ３６０に着目して模式的に示しており、第４の実施形態の変形例である。異なる点は、Ｐシャーシ３６０に関して、上側の光学シート３３０（第１の光学シート３３１）との間及び下側の表示モジュール３２０との間に緩衝材３８０（第１及び第２の緩衝材３８１、３８２）を設けている点にある。緩衝材３８０は、透明であり且つ弾性、接着性の部材であって、例えばシリコン樹脂に接着性を持たせたもので幅３ｍｍ程度で形成されている。
【００３６】
第１及び第２の緩衝材３８１、３８２の内側端部（図示左側）と、ＢＭ部３７５の内側端部を結んだ線が４５度以下の傾きを有している。つまり、ＢＭ部３７５の内側端部から後方外側方向４５度の角度の領域より内側部分には、第１及び第２の緩衝材３８１、３８２が配置されないようになっている。第１及び第２の緩衝材３８１、３８２は透明であっても、表示品位に影響を与える可能性を排除するためである。
【００３７】
＜第６の実施形態＞
図６は本実施形態に係る液晶テレビ４１０の概略断面構造を主にＰシャーシ４６０に着目して模式的に示している。本実施形態では、Ｐシャーシ４６０が光学シート４３０と導光板４８０との間に配置される。
【００３８】
そして、Ｐシャーシ４６０が光学シート４３０と導光板４８０との間に配置された状態において、液晶パネル４２０の前面側の外側近傍領域を覆うようにフロントベゼル４４０がクッション材４７０を介して配置される。このとき、フロントベゼル４４０は、Ｐシャーシ４６０の前方のみでなく、ＢＬシャーシ４５０の側面外側部分を重ねて覆うように形成されている。このとき、上述の実施形態同様に、フロントベゼル４４０で押さえられる領域には、所定幅で遮光領域であるＢＭ部４７５が形成されている。
【００３９】
さらに、Ｐシャーシ４６０は、第４の実施形態と同様に、Ｐシャーシ透明部４６１とＰシャーシ遮光部４６２との２色樹脂成形で構成されている。
【００４０】
Ｐシャーシ透明部４６１とＰシャーシ遮光部４６２との境界４６３は、画面開口４７７の４５°ラインＬ４５と光学シート４３０の後側表面とがクロスする位置Ｌｘよりも外側になるように設定されている。
【００４１】
このような構成とすることで、フロントベゼル４４０を狭額化した場合に、Ｐシャーシ４６０の影響によって影が発生してユーザに視認されてしまうことを防止することができる。
【００４２】
以上、本発明を実施形態をもとに説明した。この実施形態は例示であり、それらの各構成要素の組み合わせ等にいろいろな変形例が可能なこと、またそうした変形例も本発明の範囲にあることは当業者に理解されるところである。
【符号の説明】
【００４３】
１０、１１０、２１０、３１０、３１０ａ、４１０  液晶テレビ
２０、１２０、２２０、３２０  表示モジュール（表示パネル）
３０、１３０、２３０、３３０、４３０  光学シート
４０、１４０、２４０、３４０、４４０  フロントベゼル
５０、１５０、２５０、３５０、４５０  ＢＬシャーシ
６０、１６０、２６０、３６０、４６０  Ｐシャーシ
１６１、３６１、４６１  Ｐシャーシ透明部
１６２、３６２、４６２  Ｐシャーシ遮光部
２３１、３３１  第１の光学シート
２３２、３３２  第２の光学シート
２６５  遮光部
２７０、３７０、４７０  クッション材
２７５、３７５、４７５  ＢＭ部
３８０  緩衝材
３８１  第１の緩衝材
３８２  第２の緩衝材
４６３  境界
４７７  画面開口
４８０  導光板
【図１】
2014021295.tif 000003
【図２】
2014021295.tif 000004
【図３】
2014021295.tif 000005
【図４】
2014021295.tif 000006
【図５】
2014021295.tif 000007
【図６】
2014021295.tif 000008
【図７】
2014021295.tif 000009